(57)【要約】【課題】ＦＭ放送受信機能と、このＦＭ放送と別の無線情報受信機能を持ち、携帯性がよく、しかもＦＭ放送と無線情報を効率良く受信できる携帯端末装置を提案する。【解決手段】ＦＭ放送による音情報を再生するスピーカと、無線情報の受信アンテナを内蔵するヘッドホンにより、携帯性が向上する。また無線情報受信回路と無線情報の受信アンテナとを同軸ケーブルにより接続し、低い伝送損失で無線情報を無線情報受信回路に伝送できる。同軸ケーブルに接続されたインピーダンス調整手段が、ＦＭ放送の受信時に、同軸ケーブルの中心導体と外導体を、携帯端末の共通電位点に対して、電気的にフローティング状態とし、同軸ケーブルがスピーカとＦＭ放送受信回路を接続する接続コードの近くに配置されても、ＦＭ放送の受信感度の劣化を防止できる。【選択図】図１
2006333109.tif 000002
【特許請求の範囲】
【請求項１】
ＦＭ放送を受信するＦＭ放送受信回路と、ＦＭ放送と別の無線情報を受信する無線情報受信回路とを内蔵し、前記ＦＭ放送と無線情報を選択的に受信する携帯端末、
前記ＦＭ放送による音情報を再生するスピーカと、前記無線情報の受信アンテナを内蔵するヘッドホン、
前記ＦＭ放送受信回路と前記スピーカとを接続する接続コード、および
前記無線情報受信回路と前記受信アンテナとを接続する同軸ケーブルを備え、
前記ＦＭ放送は、前記接続コードで受信され、この接続コードにより前記ＦＭ放送受信回路に伝送されて復調されるとともに、その復調出力が前記接続コードを通じて前記スピーカに伝送されて再生され、
また、前記無線情報は、前記受信アンテナで受信され、前記同軸ケーブルを通じて前記無線情報受信回路に伝送される携帯端末装置であって、
前記同軸ケーブルに、インピーダンス調整手段を接続し、このインピーダンス調整手段が、前記ＦＭ放送の受信時に、前記同軸ケーブルの少なくとも外部導体を、前記携帯端末の共通電位点に対して、高インピーダンスとして電気的にフローティング状態とすることを特徴とする携帯端末装置。
【請求項２】
請求項１記載の携帯端末装置であって、前記インピーダンス調整手段が、前記ＦＭ放送の受信時に、前記同軸ケーブルの中心導体をも、前記携帯端末の共通電位点に対して、高インピーダンスとして電気的にフローティング状態とすることを特徴とする携帯端末装置。
【請求項３】
請求項１または２記載の携帯端末装置であって、前記インピーダンス調整手段が切換スイッチ回路とされ、この切換スイッチ回路は、前記無線情報の受信時には、前記同軸ケーブルの中心導体を前記無線情報受信回路に接続し、前記同軸ケーブルの外部導体を前記携帯端末の共通電位点に接続することを特徴とする携帯端末装置。
【請求項４】
請求項１または２記載の携帯端末装置であって、前記同軸ケーブルの中心導体が前記無線情報受信回路に接続され、前記インピーダンス調整手段が、バイパスコンデンサ回路とされ、このバイパスコンデンサ回路は、前記同軸ケーブルの外部導体と基準電位点との間に配置されたバイパスコンデンサを有することを特徴とする携帯端末装置。
【請求項５】
請求項１から請求項５のいずれか一項記載の携帯端末装置であって、前記無線情報が衛星ディジタル放送とされ、前記受信アンテナがこの衛星ディジタル放送を受信し、前記無線情報受信回路がこの衛星ディジタル放送を復調する携帯端末装置。
【発明の詳細な説明】
【技術分野】
【０００１】
この発明は、携帯電話、携帯情報端末などの携帯端末装置、とくにＦＭ放送と、このＦＭ放送以外の例えば衛星ディジタル放送などの他の無線情報とを選択的に受信できるようにした携帯端末装置に関するものである。
【背景技術】
【０００２】
電話機能を有するページャー部と、ヘッドホンの使用を前提とするラジオ受信部とを複合した複合型ページャー装置が、特開平９−１０７５７２号公報に開示されている。この複合型ページャー装置のページャー部は専用アンテナを内蔵しており、そのラジオ受信部は、ヘッドホンとラジオ受信部を接続する接続コードによりＦＭ放送を受信し、その音声情報をヘッドホンで再生する。
【０００３】
【特許文献１】特開平９−１０７５７２号公報
【発明の開示】
【発明が解決しようとする課題】
【０００４】
この先行技術に示されたＦＭ放送受信回路とヘッドホンを、携帯電話、携帯情報端末などの携帯端末装置に応用すれば、携帯端末の機能を拡大することができ、またそのヘッドホンの接続コードをＦＭ放送の受信アンテナとすれば、ＦＭ放送の専用アンテナが不要となり、携帯性も向上できる。この携帯端末装置は、その携帯端末にＦＭ放送受信回路を内蔵し、この携帯端末に、接続コードを介してヘッドホンが接続される。しかし、携帯端末装置に、単にＦＭ放送受信機能を付加するだけでは、機能拡大が不充分であり、携帯端末装置に、ＦＭ放送受信機能と、ＦＭ放送と別の無線情報受信機能を持たせ、さらに機能拡大を図ることが望まれる。
【０００５】
このＦＭ放送受信機能と無線情報受信機能を有する携帯端末装置では、いくつかの新たな課題が生じる。第１の新たな課題は、その無線情報の受信アンテナに関する携帯性である。すなわち、この無線情報の受信アンテナは、携帯端末の小型化、軽量化の面から、携帯端末の外部に設置される外部アンテナとされるが、この無線情報の受信アンテナが携帯端末の携帯性を阻害しないように考慮する必要がある。
【０００６】
第２の新たな課題は、その無線情報の受信アンテナと無線情報受信回路とを結合する伝送路の構成であり、より低い伝送損失の伝送路とする必要がある。加えて、この伝送路は、ＦＭ放送を受信する接続コード、すなわちヘッドホンとＦＭ放送受信回路とを接続する接続コードの近くに配置されるので、この伝送路の配置に伴ない、ＦＭ放送の受信感度が劣化するのを防止することも新たな課題となる。
【０００７】
この発明は、このような新たな課題を解決しながら、ＦＭ放送受信機能と、このＦＭ放送と別の無線情報受信機能とを有する改良された携帯端末装置を提案するものである。
【課題を解決するための手段】
【０００８】
この発明による携帯端末装置は、ＦＭ放送を受信するＦＭ放送受信回路と、ＦＭ放送と別の無線情報を受信する無線情報受信回路を内蔵し、ＦＭ放送と無線情報を選択的に受信する携帯端末、ＦＭ放送による音情報を再生するスピーカと、無線情報の受信アンテナとを内蔵するヘッドホン、ＦＭ放送受信回路とスピーカとを接続する接続コード、および無線情報受信回路と受信アンテナとを接続する同軸ケーブルを備え、ＦＭ放送は、接続コードで受信され、この接続コードによりＦＭ放送受信回路に伝送されて復調されるとともに、その復調出力が接続コードを通じてスピーカに伝送されて再生され、また、無線情報は、受信アンテナで受信され、同軸ケーブルを通じて無線情報受信回路に伝送される携帯端末装置であって、同軸ケーブルに、インピーダンス調整手段を接続し、このインピーダンス調整手段が、ＦＭ放送の受信時に、同軸ケーブルの少なくとも外部導体を、携帯端末の共通電位点に対して、高インピーダンスとして電気的にフローティング状態とすることを特徴とする。
【発明の効果】
【０００９】
この発明による携帯端末装置では、ＦＭ放送による音情報を再生するスピーカと、無線情報の受信アンテナを内蔵するヘッドホンを備えるので、無線情報の受信アンテナが、携帯端末装置の携帯性を阻害せず、携帯端末装置の携帯性が向上し、また無線情報受信回路と無線情報の受信アンテナとを接続する同軸ケーブルを備えるので、この同軸ケーブルが低い伝送損失で受信された無線情報を無線情報受信回路に伝送することができる。加えて、同軸ケーブルに、インピーダンス調整手段を接続し、このインピーダンス調整手段が、ＦＭ放送の受信時に、同軸ケーブルの少なくとも外部導体を、携帯端末の共通電位点に対して、高インピーダンスとして電気的にフローティング状態とするので、同軸ケーブルがスピーカとＦＭ放送受信回路を接続する接続コードの近くに配置されても、ＦＭ放送の受信感度が劣化するのを防止することができる。
【発明を実施するための最良の形態】
【００１０】
以下この発明のいくつかの実施の形態について、図面を参照して説明する。
【００１１】
実施の形態１．
図１は、この発明による携帯端末装置の実施の形態１を示す電気回路図である。この実施の形態１の携帯端末装置は、携帯端末１２と、ヘッドホン装置１を備え、ヘッドホン装置１は一対のヘッドホン１ａ、１ｂから構成され、これらのヘッドホン１ａ、１ｂは、携帯端末装置の保持者の左右の耳に装着される。
【００１２】
実施の形態１の携帯端末装置は、例えば携帯電話機であり、電話機能と、この電話機能に付加された第１、第２の付加機能を有する。これらの電話機能と、第１の付加機能と、第２の付加機能は、その何れか１つが選択されるように構成される。前記第１の付加機能は、具体的には、例えばＦＭ放送受信機能である。このＦＭ放送の周波数帯は、７６ＭＨｚから９０ＭＨｚである。また前記第２の付加機能は、このＦＭ放送と別の無線情報受信機能である。この第２の付加機能、すなわち無線情報受信機能は、具体的には、例えば衛星ディジタル放送受信機能である。この衛星ディジタル放送の周波数帯は、２．６ＧＨｚであり、ＦＭ放送の周波数帯よりも高い周波数帯である。実施の形態１の携帯端末装置は、これらの第１、第２の付加機能を付加することにより、その機能を拡大することができる。
【００１３】
一方のヘッドホン１ａには、スピーカ２ａと、受信アンテナ３Ａが内蔵され、また他方のヘッドホン１ｂには、スピーカ２ｂと、受信アンテナ３Ｂが内蔵される。スピーカ２ａ、２ｂは、前記ＦＭ放送受信機能が選択された状態で、受信したＦＭ放送の音楽、音声などの音情報を再生する。受信アンテナ３Ａ、３Ｂは、前記無線情報受信機能、具体的には衛星ディジタル放送受信機能が選択された状態で、衛星ディジタル放送を受信する機能を有する。
【００１４】
受信アンテナ３Ａは、アンテナ３ａと、ロー・ノイズ・アンプ４ａ、４ｃと、バンド・パス・フィルタ６ａを有し、同様に受信アンテナ３Ｂは、アンテナ３ｂと、ロー・ノイズ・アンプ４ｂ、４ｄと、バンド・パス・フィルタ６ｂを有する。受信アンテナ３Ａ、３Ｂは、携帯端末１２を小型化、軽量化するために、携帯端末１２の外部アンテナとして構成されるが、この受信アンテナ３Ａ、３Ｂが、ヘッドホン１ａ、１ｂに内蔵される結果、実施の形態１の携帯端末装置は、その携帯性を向上することができる。
【００１５】
ヘッドホン１ａに内蔵されたスピーカ２ａには、一対の接続コード５ａ、５ｃが接続され、またヘッドホン１ａに内蔵された受信アンテナ３Ａには、同軸ケーブル７ａが接続される。同様に、ヘッドホン１ｂに内蔵されたスピーカ２ｂには、一対の接続コード５ｂ、５ｄが接続され、ヘッドホン１ｂに内蔵された受信アンテナ３Ｂには、同軸ケーブル７ｂが接続される。接続コード５ａ、５ｃは、同軸ケーブル７ａの近くに位置し、例えば同軸ケーブル７ａとともに束ねられ、この同軸ケーブル７ａに密着するようにして、この同軸ケーブル７ａに沿って配置される。接続コード５ｂ、５ｄは、同軸ケーブル７ｂの近くに位置し、例えば同軸ケーブル７ｂとともに束ねられ、同軸ケーブル７ｂに密着するようにして、この同軸ケーブル７ｂの沿って配置される。実施の形態１の携帯端末装置では、接続コード５ａ、５ｃを同軸ケーブル７ａと束ね、また接続コード５ｂ、５ｄを同軸コード７ｂと束ねることにより、これらの接続コードと同軸ケーブルの取り扱いを簡単化できる。
【００１６】
接続コード５ａ、５ｃおよび接続コード５ｂ、５ｄは、前記ＦＭ放送受信機能が選択された状態で、ＦＭ放送を受信するアンテナとして機能する。これらの接続コード５ａ、５ｃおよび接続コード５ｂ、５ｄは、それぞれ例えば電線をビニールで被覆したビニールコードで構成される。実施の形態１の携帯端末装置では、接続コード５ａ、５ｃおよび接続コード５ｂ、５ｄがＦＭ放送を受信するアンテナとして利用されるので、ＦＭ放送を受信するための特別なアンテナを不要とし、携帯性を向上することができる。
【００１７】
同軸ケーブル７ａは、中心導体１５ａと、この中心導体１５ａを取り囲む筒状の外部導体８ａを有し、中心導体１５ａが受信アンテナ３Ａに接続される。同様に、同軸ケーブル７ｂは、中心導体１５ｂと、この中心導体１５ｂを取り囲む筒状の外部導体８ｂを有し、中心導体１５ｂが受信アンテナ３Ｂに接続される。
【００１８】
携帯端末１２は、電話回路２０と、ＦＭ放送受信回路１０と、無線情報受信回路１１を内蔵し、これらの電話回路２０、ＦＭ放送受信回路１０、無線情報受信回路１１の何れかを選択動作し、前記電話機能、ＦＭ放送受信機能、および無線情報受信機能の何れか１つを選択する。電話回路２０は、携帯端末１２が前記電話機能を選択した状態で、外部の電話回線を通じて、他の携帯電話機、固定電話機またはインターネットと通信を行なう。
【００１９】
ＦＭ放送受信回路１０は、携帯端末１２が前記ＦＭ放送受信機能を選択した状態で、接続コード５ａ、５ｃおよび接続コード５ｂ、５ｄで受信されたＦＭ放送の受信信号を受け、そのＦＭ放送に含まれる音楽、音声などの音情報を復調する。このＦＭ放送受信回路１０で復調されたＦＭ放送の音情報は、接続コード５ａ、５ｃおよび接続コード５ｂ、５ｄを通じてスピーカ２ａ、２ｂに供給され、再生される。
【００２０】
接続コード５ａは、高周波チョークコイル１３ａを通じてＦＭ放送受信回路１０に接続され、接続コード５ｂは高周波チョークコイル１３ｂを通じてＦＭ放送受信回路１０に接続される。接続コード５ｃは、高周波チョークコイル１３ｃにより、携帯端末１２の基準電位点に接続され、また接続コード５ｄは高周波チョークコイル１３ｄにより、携帯端末１２の基準電位点に接続される。この携帯端末１２の基準電位点は、携帯端末１２のグランド端子である。接続コード５ａ、５ｃおよび接続コード５ｂ、５ｄにより受信されたＦＭ放送の受信信号は、高周波チョークコイル１３ｃ、１３ｄにより、グランドなどにバイパスされることなく、ＦＭ放送受信回路１０に供給される。
【００２１】
無線情報受信回路１１は、具体的には衛星ディジタル放送受信回路である。これは、携帯端末１２が前記無線情報受信機能、具体的には衛星ディジタル放送受信機能を選択した状態で、受信アンテナ３Ａ、３Ｂで受信された衛星ディジタル放送の受信信号が、同軸ケーブル７ａ、７ｂを通じて供給され、無線情報、すなわち衛星ディジタル放送情報を復調する。
【００２２】
携帯端末１２は、同軸ケーブル７ａ、７ｂと、無線情報受信回路１１との間に、インピーダンス調整手段９を有する。このインピーダンス調整手段９は、実施の形態１では、切換スイッチ回路であり、この切換スイッチ回路９は、３つの切換スイッチ９１、９２、９３を有する。
【００２３】
切換スイッチ９１は、同軸ケーブル７ａの中心導体１５ａと無線情報受信回路１１との間に配置される。この切換スイッチ９１は、選択的にオンとされる一対のスイッチ要素９１ａ、９１ｂを有し、これらのスイッチ要素９１ａ、９１ｂは何れも中心導体１５ａに接続されている。一方のスイッチ要素９１ａは、それがオンされた場合に、中心導体１５ａを電気的にフローティング状態とする。他方のスイッチ要素９１ｂは、それがオンされた場合に、中心導体１５ａを無線情報受信回路１１に接続する。
【００２４】
切換スイッチ９２は、同軸ケーブル７ｂの中心導体１５ｂと無線情報受信回路１１との間に配置される。この切換スイッチ９２は、選択的にオンとされる一対のスイッチ要素９２ａ、９２ｂを有し、これらのスイッチ要素９２ａ、９２ｂは何れも中心導体１５ｂに接続されている。一方のスイッチ要素９２ａは、それがオンされた場合に、中心導体１５ｂを電気的にフローティング状態とする。他方のスイッチ要素９２ｂは、それがオンされた場合に、中心導体１５ｂを無線情報受信回路１１に接続する。
【００２５】
切換スイッチ９３は、同軸ケーブル７ａ、７ｂの外部導体８ａ、８ｂと無線情報受信回路１１との間に配置される。この切換スイッチ９３は、選択的にオンとされる一対のスイッチ要素９３ａ、９３ｂを有し、これらのスイッチ要素９３ａ、９３ｂは何れも各外部導体８ａ、８ｂに接続されている。一方のスイッチ要素９３ａは、それがオンされた場合に、各外部導体８ａ、８ｂを電気的にフローティング状態とする。他方のスイッチ要素９３ｂは、それがオンされた場合に、各外部導体８ａ、８ｂを、携帯端末１２の共通電位点に接続する。
【００２６】
切換スイッチ回路９は、携帯端末１２が前記無線情報受信機能、具体的には衛星ディジタル放送受信機能を選択する状態、すなわち無線情報受信回路１１を選択動作させる状態では、各切換スイッチ９１、９２、９３の各スイッチ要素９１ｂ、９２ｂ、９３ｂがオンとされる。この状態では、同軸ケーブル７ａ、７ｂの中心導体１５ａ、１５ｂは、ともに無線情報受信回路１１に接続され、また同軸ケーブル７ａ、７ｂの外部導体８ａ、８ｂは、ともに携帯端末１２の基準電位点に接続され、同軸ケーブル７ａ、７ｂはともに通常の同軸ケーブルとして動作する。
【００２７】
無線情報受信機能、具体的には衛星ディジタル放送受信機能の中で、同軸ケーブル７ａ、７ｂは、衛星ディジタル放送の受信信号を小さな伝送損失で無線情報受信回路１１に供給する。同軸ケーブル７ａ、７ｂの外部導体１５ａ、１５ｂは、携帯端末１２の基準電位点に接続され、この外部導体８ａ、８ｂのシールド作用により、衛星ディジタル放送の受信信号を同軸ケーブル７ａ、７ｂの外部へ漏らすことなく、中心導体１５ａ、１５ｂから無線情報受信回路１１に供給する。したがって、受信アンテナ３Ａ、３Ｂで受信された衛星ディジタル放送は、同軸ケーブル７ａ、７ｂの中心導体１５ａ、１５ｂを通じて効率良く無線情報受信回路１１に入力され、衛星ディジタル放送情報を効率良く復調することができる。
【００２８】
切換スイッチ回路９は、携帯端末１２が前記ＦＭ放送受信機能を選択する状態、すなわちＦＭ放送受信回路１０を選択動作させる状態では、各切換スイッチ９１、９２、９３の各スイッチ要素９１ａ、９２ａ、９３ａがオンとされる。この状態では、同軸ケーブル７ａ、７ｂの中心導体１５ａ、１５ｂおよび外部導体８ａ、８ｂは、ともに電気的にフローティング状態とされ、同軸ケーブル７ａ、７ｂはともに電気的にフローティング状態となる。
【００２９】
一般に、接続コード５ａ、５ｃが同軸ケーブル７ａの近くに配置され、また接続コード５ｂ、５ｄが同軸ケーブル７ｂの近くに配置された場合、接続コード５ａ、５ｃおよび５ｂ、５ｄのアンテナ特性、すなわちＦＭ放送を受信するアンテナ特性が劣化し、ＦＭ放送の受信感度が劣化する不都合があるが、実施の形態１では、前記ＦＭ放送受信機能が選択される場合には、インピーダンス調整手段９により、同軸ケーブル７ａ、７ｂがともに電気的にフローティング状態となされるので、このアンテナ特性の劣化を低減し、ＦＭ放送の受信感度の劣化を抑制することができる。
【００３０】
以上のように、実施の形態携帯端末装置では、ＦＭ放送による音情報を再生するスピーカ２ａ、２ｂと、ＦＭ放送とは別の無線情報の受信アンテナ、具体的には衛星ディジタル放送の受信アンテナ３Ａ、３Ｂを内蔵するヘッドホン１ａ、１ｂを備えるので、受信アンテナ３Ａ、３Ｂが、携帯端末装置の携帯性を阻害せず、携帯端末装置の携帯性が向上し、また無線情報受信回路１１と受信アンテナ３Ａ、３Ｂとを接続する同軸ケーブル７ａ、７ｂを備えるので、この同軸ケーブル７ａ、７ｂが低い伝送損失で受信された無線情報、具体的には衛星ディジタル放送の受信信号を無線情報受信回路１１に伝送することができる。加えて、同軸ケーブル７ａ、７ｂに、インピーダンス調整手段９を接続し、このインピーダンス調整手段９が、ＦＭ放送の受信時に、同軸ケーブル７ａ、７ｂの中心導体１５ａ、１５ｂと外導体８ａ、８ｂを、携帯端末１２の共通電位点に対して、ともに高インピーダンスとして電気的にフローティング状態とするので、同軸ケーブル７ａ、７ｂがスピーカ２ａ、２ｂとＦＭ放送受信回路１０を接続する接続コード５ａ、５ｃおよび５ｂ、５ｄの近くに配置されても、ＦＭ放送の受信感度が劣化するのを防止することができる。
【００３１】
実施の形態１において、ＦＭ放送と別の無線情報受信機能として、衛星ディジタル放送受信機能を採用したが、これに限るものではない。
【００３２】
また、実施の形態１の変更例として、切換スイッチ回路９の切換スイッチ９１、９２を省略し、同軸ケーブル７ａ、７ｂの中心導体１５ａ、１５ｂを直接無線情報受信回路１１に接続することもできる。この変更例では、切換スイッチ回路９は、実施の形態１と同じ切換スイッチ９３だけを持つ。切換スイッチ９３は、実施の形態１と同様に、ＦＭ放送受信機能を選択する場合には、そのスイッチ要素９３ａがオンとされ、外部導体８ａ、８ｂを電気的にフローティング状態とし、また無線情報受信機能、具体的には衛星ディジタル放送受信機能を選択する場合には、そのスイッチ要素９３ｂがオンとされ、外部導体８ａ、８ｂを携帯端末１２の基準電位点に接続する。
【００３３】
接続ケーブル５ａ、５ｃおよび接続ケーブル５ｂ、５ｄがＦＭ放送を受信する場合において、そのＦＭ放送の受信感度の劣化は、同軸ケーブル７ａ、７ｂの外部導体８ａ、８ｂの存在が主な原因となる。同軸ケーブル７ａ、７ｂの中心導体１５ａ、１５ｂは、外部導体８ａ、８ｂにより覆われているので、接続コード５ａ、５ｃおよび接続コード５ｂ、５ｄによるＦＭ放送の受信感度に大きな悪影響を与えない。したがって、前記変更例にように、ＦＭ放送受信機能を選択した場合に、切換スイッチ９３により、同軸ケーブル７ａ、７ｂの外部導体８ａ、８ｂだけを電気的にフローティング状態とすることにより、接続コード５ａ、５ｃおよび接続コード５ｂ、５ｄをアンテナとするＦＭ放送の受信感度の劣化を実質的に抑制できる。
【００３４】
実施の形態２．
図２は、この発明による携帯端末装置に実施の形態２を示す電気回路図である。この実施の形態２の携帯端末装置は、実施の形態１の同軸ケーブル７ａ、７ｂの中心導体１５ａ、１５ｂを無線情報受信回路１１に直接接続するとともに、切換スイッチ回路９を、バイパスコンデンサ回路１４に代えたものである。その他は、実施の形態１と同じに構成される。
【００３５】
この実施の形態２でも、ＦＭ放送と別の前記第２の付加機能として、ＦＭ放送よりも高い周波数帯を用いる無線情報受信機能が採用され、具体的には、衛星ディジタル放送受信機能が採用され、したがって、無線情報受信回路１１は具体的には、衛星ディジタル放送受信回路とされる。
【００３６】
バイパスコンデンサ回路１４は、実施の形態２におけるインピーダンス調整手段であり、２つのバイパスコンデンサ１４ａ、１４ｂを含む。バイパスコンデンサ１４ａは、同軸ケーブル７ａの外部導体８ａと、携帯端末１２の基準電位点との間に接続される。バイパスコンデンサ１４ｂは、同軸ケーブル７ｂの外部導体８ｂと、携帯端末１２の基準電位点との間に接続される。
【００３７】
このバイパスコンデンサ１４ａ、１４ｂは、ＦＭ放送受信機能が選択され、接続コード５ａ、５ｃおよび接続コード５ｂ、５ｄがＦＭ放送を受信する場合、そのＦＭ放送の周波数帯７６ＭＨｚ〜９０ＭＨｚでは、高インピーダンスを呈し、同軸ケーブル７ａ、７ｂの外部導体８ａ、８ｂを電気的にフローティング状態とし、接続コード５ａ、５ｃおよび接続コード５ｂ、５ｄをアンテナとするＦＭ放送受信感度の劣化を抑制する。この場合、中心導体１５ａ、１５ｂは、外部導体８ａ、８ｂで覆われるので、接続コード５ａ、５ｃおよび接続コード５ｂ、５ｄをアンテナとするＦＭ放送受信感度に大きな悪影響は与えない。
【００３８】
バイパスコンデンサ１４ａ、１４ｂは、無線情報受信機能、具体的には衛星ディジタル放送受信機能が選択された場合には、その衛星ディジタル放送の周波数帯２．６ＧＨｚでは、低インピーダンスを呈し、外部導体８ａ、８ｂをその低インピーダンスで、携帯端末１２に基準電位点に接続し、その衛星ディジタル放送の受信信号を低い伝送損失で、受信アンテナ３Ａ、３Ｂから無線情報受信回路１１に供給する機能を果たす。
【産業上の利用可能性】
【００３９】
この発明による携帯端末装置は、携帯電話機、携帯情報端末などに利用される。
【図面の簡単な説明】
【００４０】
【図１】図１は、この発明による携帯端末装置の実施の形態１を示す電気回路図である。
【図２】図２は、この発明による携帯端末装置の実施の形態２を示す電気回路図である。
【符号の説明】
【００４１】
１：ヘッドホン装置、１ａ、１ｂ：ヘッドホン、２ａ、２ｂ：スピーカ、
３Ａ、３Ｂ：受信アンテナ、５ａ、５ｃ：接続コード、５ｂ、５ｄ：接続コード、
７ａ、７ｂ：同軸ケーブル、１５ａ、１５ｂ：中心導体、８ａ、８ｂ：外導体、
１０：ＦＭ放送受信回路、１１：無線情報受信回路、１２：携帯端末、
９：インピーダンス調整手段（切換スイッチ回路）、９１、９２、９３：切換スイッチ、
１４：インピーダンス調整手段（バイパスコンデンサ回路）、
１４ａ、１４ｂ：バイパスコンデンサ。
【図１】
2006333109.tif 000003
【図２】
2006333109.tif 000004